(57)【要約】      （修正有）【課題】簡単に帯状部材を固定することが可能なスティック装飾具を提供する。【解決手段】スティック２の端部に固定具１８を用いて固定される円形の第１固定部材３、およびスティック２が挿通される貫通孔を有しスティック２に移動可能に取り付けられる円形の第２固定部材４は、円形の第１ベース部材および第２ベース部材からなる。第１ベース部材には、複数のリブおよび複数の突起が設けられ、第２ベース部材にはリブと勘合する凹部、および突起と勘合する孔が設けられる。複数の曲げ可能な帯状部材５の両端を第１ベース部材に設けられた突起に嵌合し、隣り合うリブの間に配置する。第１及び第２ベース部材は帯状部材５を挟み込むようにして、リブと凹部、および突起と孔を勘合させて固定することで、帯状部材５の両端を第１および第２固定部材３，４に固定する。スティック装飾具１はスティック２を回転させることで帯状部材５が回転し様々な形状を表す。【選択図】図１
2010214089.tif 000002
【特許請求の範囲】
【請求項１】
スティックと、前記スティックの端部に固定される円形の第１固定部材と、前記スティックが挿通される貫通孔を有し、前記スティックに移動可能に取り付けられる円形の第２固定部材と、一端が第１固定部材に固定され、他端が第２固定部材に固定された曲げ可能な複数の帯状部材とからなり、前記スティックを回転させることで帯状部材が回転し様々な形状を表すスティック装飾具であって、
前記第１固定部材および前記第２固定部材は、円形の第１ベース部材および第２ベース部材からなり、前記第１ベース部材には、外周から中心に向って所定の長さに形成され、互いに等間隔で放射状に形成された複数のリブ、および、前記リブよりも中心側に同心円状に互いに等間隔で形成された複数の突起が設けられ、前記第２ベース部材には、前記第１ベース部材に設けられた前記リブと勘合する凹部および前記突起と勘合する孔が設けられ、前記第１ベース部材および第２ベース部材の中心には前記スティックが挿通される貫通孔が設けられ、
前記帯状部材は、長手方向に等間隔で設けられた複数のスリットにより分離され、両端が一体となった複数の帯から構成され、両端に前記第１及び第２固定部材の第１及び第２ベース部材に設けられた前記突起と嵌合する孔が設けられ、
前記帯状部材の両端を第１および第２固定部材の第１ベース部材に設けられた前記突起に嵌合し、前記帯状部材の帯を隣り合うリブの間に配置し、前記第１及び第２ベース部材を、前記帯状部材を挟み込むようにして、前記リブと前記凹部、および前記突起と前記孔を勘合させて固定することで、前記帯状部材の両端を第１および第２固定部材に固定し、前記第２固定部材の貫通孔に上記スティックを挿入し、前記第１固部材の貫通孔に挿入して固定している固定具を用いて、前記第１固定部材を前記スティックの端部に固定していることを特徴とするスティック装飾具。
【請求項２】
前記帯状部材の両端の孔をそれぞれ複数設け、前記第１ベース部材の突起を半径方向に複数列設け、前記第２ベース部材の孔を半径方向に複数列設けたことを特徴とする請求項１に記載のスティック装飾具。
【請求項３】
前記スティックに、前記第２固定部材の移動を制限するつばを設けたことを特徴とする請求項１または２に記載のスティック装飾具。
【請求項４】
前記スティックを分割するジョイントを設けたことを特徴とする請求項１から３のいずれか１項に記載のスティック装飾具。
【請求項５】
前記スティックの端部にスタンドを取り付けたことを特徴とする請求項１から４のいずれか１項に記載のスティック装飾具。
【請求項６】
可動部材を前記固定具に上下動および回転可能に係合させたことを特徴とする請求項１から５のいずれか１項に記載のスティック装飾具。
【請求項７】
スティックと、前記スティックの端部に固定される円形の第１固定部材と、前記スティックが挿通される貫通孔を有し、前記スティックに移動可能に取り付けられる円形の第２固定部材と、一端が第１固定部材に固定され、他端が第２固定部材に固定された曲げ可能な複数の帯状部材とからなるスティック装飾具であって、
前記第１固定部材および前記第２固定部材は、円形の第１ベース部材および第２ベース部材からなり、前記第１ベース部材には、外周から中心に向って所定の長さに形成され、互いに等間隔で放射状に形成された複数のリブ、および、前記リブよりも中心側に同心円状に互いに等間隔で形成された複数の突起が設けられ、前記第２ベース部材には、前記第１ベース部材に設けられた前記リブと勘合する凹部および前記突起と勘合する孔が設けられ、前記第１ベース部材および第２ベース部材の中心には前記スティックが挿通される貫通孔が設けられ、
前記帯状部材は、長手方向に等間隔で設けられた複数のスリットにより分離され、両端が一体となった複数の帯から構成され、両端に前記第１及び第２固定部材の第１及び第２ベース部材に設けられた前記突起と嵌合する孔が設けられ、
前記帯状部材の両端を第１および第２固定部材の第１ベース部材に設けられた前記突起に嵌合し、前記帯状部材の帯を隣り合うリブの間に配置し、前記第１及び第２ベース部材を、前記帯状部材を挟み込むようにして、前記リブと前記凹部、および前記突起と前記孔を勘合させて固定することで、前記帯状部材の両端を第１および第２固定部材に固定し、前記第１固定部材の貫通孔および前記第２固定部材の貫通孔に上記スティックを挿入し、前記第固定部材および前記第２固定部材が前記スティックに対して移動可能に取り付けられていることを特徴とするスティック装飾具。
【発明の詳細な説明】
【技術分野】
【０００１】
本発明は、遊園地、催し物会場等の人が集まる場所で、子供達の目を引く装飾具に関するものであり、より詳細には、手などでスティックを回転させて残像効果によって様々な像を表すことのできるスティック装飾具に関する。
【背景技術】
【０００２】
従来、手等の回転操作などにより、ファンタステックな画像、映像を出すような装飾具や玩具は種々提案されている。例えば、手で動かすことによって、文字、記号や図形が空中に現れるよう見える空中残像顕出式団扇（特許文献１参照）等があるが、このような玩具の１つとしてスティックを回転させて残像効果によって様々な像を表すことができるスティック玩具等がある（特許文献２参照）。
【先行技術文献】
【特許文献】
【０００３】
【特許文献１】実用第３０８１８１１号公報
【特許文献２】実用第３１１６４４０号公報
【発明の概要】
【発明が解決しようとする課題】
【０００４】
前記スティック玩具は、スティックと、前記スティックの先端部に固定される第１の結束部材と、中心部に孔を有し、前記孔にスティックが挿通された状態で、前記スティック軸に対して移動可能に取り付けられる第２の結束部材と、第１の結束部材と第２の結束部材との間に配せられる屈曲可能で腰のある複数の帯状部材であって、両端部が両結束部材に取り付けられている複数の帯状部材とからなっている。
【０００５】
前記帯状部材の結束部材への取り付け方法について説明すると、結束部材は２枚の円形の板状の円盤片から構成され、２枚の円盤片が貼り合わされており、この時に、前記帯状部材の端部は張り合わせ面の間に挿入され固定されている。
【０００６】
このような従来の方法は、単に２枚の円盤片で帯状部材の端部を挟みこむ方法であり、これだと、帯状部材を固定する際に複数の帯状部材を等間隔で配置する位置決めするのが難しく、製品の精度にも問題が生じ、さらに、手間がかかりコストの点でも問題があった。
【０００７】
そこで本発明は、従来技術の前記した問題点に鑑みて、より簡単に帯状部材を固定することが可能なスティック装飾具を提供することを課題とする。
【課題を解決するための手段】
【０００８】
本発明のスティック装飾具は、スティックと、前記スティックの端部に固定される円形の第１固定部材と、前記スティックが挿通される貫通孔を有し、前記スティックに移動可能に取り付けられる円形の第２固定部材と、一端が第１固定部材に固定され、他端が第２固定部材に固定された曲げ可能な複数の帯状部材とからなり、前記スティックを回転させることで帯状部材が回転し様々な形状を表すスティック装飾具であって、前記第１固定部材および前記第２固定部材は、円形の第１ベース部材および第２ベース部材からなり、前記第１ベース部材には、外周から中心に向って所定の長さに形成され、互いに等間隔で放射状に形成された複数のリブ、および、前記リブよりも中心側に同心円状に互いに等間隔で形成された複数の突起が設けられ、前記第２ベース部材には、前記第１ベース部材に設けられた前記リブと勘合する凹部および前記突起と勘合する孔が設けられ、前記第１ベース部材および第２ベース部材の中心には前記スティックが挿通される貫通孔が設けられ、前記帯状部材は、長手方向に等間隔で設けられた複数のスリットにより分離され、両端が一体となった複数の帯から構成され、両端に前記第１及び第２固定部材の第１及び第２ベース部材に設けられた前記突起と嵌合する孔が設けられ、前記帯状部材の両端を第１および第２固定部材の第１ベース部材に設けられた前記突起に嵌合し、前記帯状部材の帯を隣り合うリブの間に配置し、前記第１及び第２ベース部材を、前記帯状部材を挟み込むようにして、前記リブと前記凹部、および前記突起と前記孔を勘合させて固定することで、前記帯状部材の両端を第１および第２固定部材に固定し、前記第２固定部材の貫通孔に上記スティックを挿入し、前記第１固定部材の貫通孔に挿入して固定している固定具を用いて、前記第１固定部材を前記スティックの端部に固定していることを特徴とする。
【０００９】
前記帯状部材の両端の孔をそれぞれ複数設け、前記第１ベース部材の突起を半径方向に複数列設け、前記第２ベース部材の孔を半径方向に複数列設ける。
【００１０】
前記スティックに、前記第２固定部材の移動を制限するつばを設ける。あるいは、前記スティックを分割するジョイントを設ける。
【００１１】
前記スティックの端部にスタンドを取り付けることも可能である。
【００１２】
可動部材を前記固定具に上下動および回転可能に係合させてもよい。
【００１３】
また、本発明のスティック装飾具は、スティックと、前記スティックの端部に固定される円形の第１固定部材と、前記スティックが挿通される貫通孔を有し、前記スティックに移動可能に取り付けられる円形の第２固定部材と、一端が第１固定部材に固定され、他端が第２固定部材に固定された曲げ可能な複数の帯状部材とからなるスティック装飾具であって、前記第１固定部材および前記第２固定部材は、円形の第１ベース部材および第２ベース部材からなり、前記第１ベース部材には、外周から中心に向って所定の長さに形成され、互いに等間隔で放射状に形成された複数のリブ、および、前記リブよりも中心側に同心円状に互いに等間隔で形成された複数の突起が設けられ、前記第２ベース部材には、前記第１ベース部材に設けられた前記リブと勘合する凹部および前記突起と勘合する孔が設けられ、前記第１ベース部材および第２ベース部材の中心には前記スティックが挿通される貫通孔が設けられ、前記帯状部材は、長手方向に等間隔で設けられた複数のスリットにより分離され、両端が一体となった複数の帯から構成され、両端に前記第１及び第２固定部材の第１及び第２ベース部材に設けられた前記突起と嵌合する孔が設けられ、前記帯状部材の両端を第１および第２固定部材の第１ベース部材に設けられた前記突起に嵌合し、前記帯状部材の帯を隣り合うリブの間に配置し、前記第１及び第２ベース部材を、前記帯状部材を挟み込むようにして、前記リブと前記凹部、および前記突起と前記孔を勘合させて固定することで、前記帯状部材の両端を第１および第２固定部材に固定し、前記第１固定部材の貫通孔および前記第２固定部材の貫通孔に上記スティックを挿入し、前記第固定部材および前記第２固定部材が前記スティックに対して移動可能に取り付けられていることを特徴とする。
【発明の効果】
【００１４】
本発明のスティック装飾具は、スティックと、前記スティックの端部に固定される円形の第１固定部材と、前記スティックが挿通される貫通孔を有し、前記スティックに移動可能に取り付けられる円形の第２固定部材と、一端が第１固定部材に固定され、他端が第２固定部材に固定された曲げ可能な複数の帯状部材とからなり、前記第１固定部材および前記第２固定部材は、円形の第１ベース部材および第２ベース部材からなり、前記第１ベース部材には、外周から中心に向って所定の長さに形成され、互いに等間隔で放射状に形成された複数のリブ、および、前記リブよりも中心側に同心円状に互いに等間隔で形成された複数の突起が設けられ、前記第２ベース部材には、前記第１ベース部材に設けられた前記リブと勘合する凹部および前記突起と勘合する孔が設けられ、前記第１ベース部材および第２ベース部材の中心には前記スティックが挿通される貫通孔が設けられ、前記帯状部材は、長手方向に等間隔で設けられた複数のスリットにより分離され、両端が一体となった複数の帯から構成され、両端に前記第１及び第２固定部材の第１及び第２ベース部材に設けられた前記突起と嵌合する孔が設けられ、前記帯状部材の両端を第１および第２固定部材の第１ベース部材に設けられた前記突起に嵌合し、前記帯状部材の帯を隣り合うリブの間に配置し、前記第１及び第２ベース部材を、前記帯状部材を挟み込むようにして、前記リブと前記凹部、および前記突起と前記孔を勘合させて固定することで、前記帯状部材の両端を第１および第２固定部材に固定することにより、帯状部材を等間隔で、簡単にそして正確に固定部材に固定することができるので、精度の高いスティック装飾具を簡単に製造することが可能となる。
【００１５】
前記帯状部材の両端の孔をそれぞれ複数設け、前記第１ベース部材の突起を半径方向に複数列設け、前記第２ベース部材の孔を半径方向に複数列設けることにより、前記突起に帯状部材の孔を嵌めることで、簡単に帯状部材の向きを整えることができ、誰でもが正確にそして簡単に帯状部材を取り付けることができるようになる。
【００１６】
前記スティックに、前記第２固定部材の移動を制限するつばを設けることにより、静止している状態でも、帯状部材が伸びきった状態となるのを防ぐことができるので、長期間の使用でも初期の状態を保つことが可能となる。
【００１７】
前記スティックを分割するジョイントを設けることにより、ジョイントでスティックを分割すると、第２固定部材をスティックから簡単に取り外すことができるので、帯状部材が絡まった場合でも簡単に元の状態に戻すことができるようになる。
【００１８】
前記スティックの端部にスタンドを取り付けることにより、スティック装飾具を使用しない時に立てて置いておくことが可能となる。
【００１９】
可動部材を前記固定具に上下動および回転可能に係合させることで、スティックの先端から可動部材が突出したり、回転することでさらなる動きが加わり使用者を楽しませることができる。
【００２０】
また、本発明のスティック装飾具は、スティックと、前記スティックの端部に固定される円形の第１固定部材と、前記スティックが挿通される貫通孔を有し、前記スティックに移動可能に取り付けられる円形の第２固定部材と、一端が第１固定部材に固定され、他端が第２固定部材に固定された曲げ可能な複数の帯状部材とからなるスティック装飾具であって、前記第１固定部材および前記第２固定部材は、円形の第１ベース部材および第２ベース部材からなり、前記第１ベース部材には、外周から中心に向って所定の長さに形成され、互いに等間隔で放射状に形成された複数のリブ、および、前記リブよりも中心側に同心円状に互いに等間隔で形成された複数の突起が設けられ、前記第２ベース部材には、前記第１ベース部材に設けられた前記リブと勘合する凹部および前記突起と勘合する孔が設けられ、前記第１ベース部材および第２ベース部材の中心には前記スティックが挿通される貫通孔が設けられ、前記帯状部材は、長手方向に等間隔で設けられた複数のスリットにより分離され、両端が一体となった複数の帯から構成され、両端に前記第１及び第２固定部材の第１及び第２ベース部材に設けられた前記突起と嵌合する孔が設けられ、前記帯状部材の両端を第１および第２固定部材の第１ベース部材に設けられた前記突起に嵌合し、前記帯状部材の帯を隣り合うリブの間に配置し、前記第１及び第２ベース部材を、前記帯状部材を挟み込むようにして、前記リブと前記凹部、および前記突起と前記孔を勘合させて固定することで、前記帯状部材の両端を第１および第２固定部材に固定し、前記第１固定部材の貫通孔および前記第２固定部材の貫通孔に上記スティックを挿入し、前記第固定部材および前記第２固定部材が前記スティックに対して移動可能に取り付けられていることにより、第１および第２固定部材が共に動くことで新たな動きを見せることが可能となる。
【図面の簡単な説明】
【００２１】
【図１】本発明のスティック装飾具の斜視図である。
【図２】第１，２固定具の斜視図であり、（ａ）は第１ベース部材と第２ベース部材を重ね合わせた状態を示し、（ｂ）は第１ベース部材と第２ベース部材をばらした状態を示す。
【図３】帯状部材の平面図である。
【図４】第１ベース部材に帯状部材を取り付けた状態を示す斜視図である。
【図５】固定具の斜視図である。
【図６】第１，２固定部材で帯状部材を固定した状態を示す斜視図である。
【図７】帯状部材を固定した第１，２固定部材にスティックを取り付ける状態を示す斜視図である。
【図８】固定具にマスコットを取り付けた第１固定部材の斜視図である。
【図９】鈴を取り付けた状態の第１固定部材の斜視図である。
【図１０】本発明のスティック装飾具により表出される暫時像の例を示す図である。
【図１１】第２の実施形態のスティック装飾具のスティックの斜視図である。
【図１２】第２の実施形態のスティック装飾具の斜視図である。
【図１３】ジョイントを設けたスティックを分割した状態の斜視図である。
【図１４】第３の実施形態のスティック装飾具のスティックの斜視図である。
【図１５】第４の実施形態のスティック装飾具のスティックの斜視図である。
【図１６】可動部の拡大斜視図でああり、（ａ）が可動部が下に移動した状態、（ｂ）が可動部が上に移動した状態を示す。
【図１７】第５の実施形態のスティック装飾具のスティックの斜視図である。
【発明を実施するための形態】
【００２２】
以下に図を用いて本発明のスティック装飾具について詳しく説明する。図１が第１の実施形態のスティック装飾具１の斜視図である。
【００２３】
第１の実施形態のスティック装飾具１は、スティック２と、前記スティック２の端部に固定される円形の第１固定部材３と、前記スティック２に移動可能に取り付けられる円形の第２固定部材４と、一端が第１固定部材３に固定され、他端が第２固定部材４に固定された曲げ可能な複数の帯状部材５とからなり、スティックを回転させたり、あるいは前記第２固定部材４を上下に移動させることで、帯状部材５が変形し、様々な像を表すことができる。
【００２４】
前記第１固定部材３および前記第２固定部材４は、図２（ａ）に示すように、それぞれ同じ大きさの円形の第１ベース部材６および第２ベース部材７を重ね合わせたものであり、第１ベース部材６および第２ベース部材７を重ね合わせる際に、前記帯状部材５の両端を挟み込んで固定するものである。図２（ｂ）に示すように、前記第１ベース部材６には、外周から中心に向って所定の長さに形成され、互いに等間隔で放射状に形成された複数のリブ８、および、前記リブ８よりも中心側に同心円状でかつ放射状に２列で、互いに等間隔で形成された複数の突起９が設けられ、中心には前記スティックが挿通される貫通孔１０が設けられている。本実施形態では、前記リブ８は等間隔で２４個設けており、前記突起９は同心円状に８個を半径方向に２列、合計１６個設けている。前記リブ８は平面形状が略三角形に形成され、隣接するリブ８の間に前記帯状部材５が配置されるので、前記帯状部材５の幅よりも間隔が広くなるようにしている。
【００２５】
前記第２ベース部材７には、図２（ｂ）に示すように、前記第１ベース部材６に設けられた前記リブ８と勘合する凹部１２および前記突起９と勘合する孔１１が、前記第１ベース部材６と前記第２ベース部材７を重ね合わせた際に、前記リブ８と前記突起９と対向する位置に設けられ、前記第１ベース部材６と同じように中心には前記スティックが挿通される貫通孔１３が設けられている。前記貫通孔１３の大きさは、スティック２が挿通された状態で前記第２固定部材４が移動可能とするために、スティック２の直径よりも少し大きくする必要がある。そして、前記孔１１は底を設けてもよく、貫通させてもよい。本実施形態では、前記第１ベース部材６に合わせて、前記凹部１２は等間隔で２４個設けており、前記孔１１は同心円状に８個、半径方向に２列、合計１６個設けている。前記第１ベース部材６および前記第２ベース部材７は、プラスチックの一体成形で形成されている。材質等については特にこれに限定するものではない。
【００２６】
前記帯状部材５は厚さ１０〜１２０μｍであり、材質としては、フィルム、あるいは紙、プラスチック等、適度な弾性力を有する材質を用いており、表面にホログラム加工、ミラー加工、蓄光加工、蛍光加工を施したり、様々色を組み合わせたりすることで、像を表す際により綺麗な視覚効果を与えることができる。前記帯状部材５は本実施形態では、図３に示すように、長手方向に等間隔で設けられた２つのスリット１４により中間部分が３つの帯１５に分離され、前記帯１５の両端は一体となっている。さらに、前記帯状部材５の両端部には、前記第１ベース部材６に設けられた突起９に勘合する孔１７をそれぞれ２個設けている。そして、前記帯状部材５の前記スリット１４の両端付近の両側面に、切込み１６を設けて、３つの帯１５に分離し易くしている。前記スリット１４および切込み１６はトムソン抜きを用いて形成することができる。トムソン抜きを用いることで、より正確な寸法の帯１５を形成することができる。前記孔１７の数は、２個に限定するものではなく、１個でもよく、２個以上とすることもできる。前記孔１７の数に合わせて、突起９および孔１１の列数も変えることが可能である。
【００２７】
本実施形態ではスリット１４の数を２としているが、特にこれに限定するものではなく、また、スリットを設けない場合も可能である。上述のような帯状部材５を、本実施形態では８本用い、帯１５が２４本となる。前記帯１５の本数や幅によって、視覚効果も変わってくるが、本数が少なければ像が綺麗に表現できず、多すぎるともつれやすくなるので、適切に選択する必要がある。
【００２８】
前記スティック２は、手で回しやすくするために、直径３ｍｍ〜６ｍｍの円形の断面を有しており、プラスチック等の材質で形成する。また、前記スティック２を手で回すだけでなく、モーター等の別途の動力を用いて回したり上下動させるようにすることも可能である。
【００２９】
本発明の特徴である、前記帯状部材５の固定方法について説明する。図４に示すように、前記帯状部材５の端部に設けられた２つの孔１７を前記第１ベース部材６の２列に配置された突起９に嵌め込んで固定し、３つの帯１５を広げてそれぞれを前記リブ８の間に配置させる。このようにして８本の帯状部材５を第１ベース部材６に固定し、２４本の帯１５をリブ８の間に１本ずつ配置する。全ての帯状部材５が固定でき、適切に帯１５が配置できたら、第２ベース部材７を前記第１ベース部材６に、リブ８と凹部１２、突起９と孔１１が勘合するように重ね合わせる。この時、接着剤あるいは、超音波溶着を用いて固定する。同じ作業を前記帯状部材５の反対側の端部でも行うことで、前記帯状部材５の両端が図６に示すように、第１固定部材３と第２固定部材４に固定される。
【００３０】
この時、一つの前記第１ベース部材６と前記第２ベース部材７の組み合わせには、前記貫通孔１０，１３に図５に示すような固定具１８を挿入しておき、前記第１ベース部材６と前記第２ベース部材７と共に固定しておく。このようにして、前記固定部材１８が取り付けられた前記第１ベース部材６と前記第２ベース部材７の組み合わせが第１固定部材３となり、中央に貫通孔１０，１３が残っている前記第１ベース部材６と前記第２ベース部材７の組み合わせが第２固定部材４となる。
【００３１】
このように、本発明のスティック装飾具１では、突起９を用いて帯状部材５を固定することで、帯状部材５の長手方向の位置決めが簡単にかつ正確に行うことができる。また、リブ８を設けることで、帯状部材５の帯１５を正確に等間隔で配置することができる。また、１つの帯状部材５を固定することで複数の帯１５を同時に固定できるので、作業時間の短縮も可能である。そして、突起９を２列に配置することで、帯状部材５の向きは固定されるので、位置決めもより簡単となる。このように、従来であれば、位置決めが難しく時間を要していた帯状部材の固定作業が、簡単に、そして正確に行うことができるようになり、精度の高い製品を低コストで提供することができる。
【００３２】
続いて、帯状部材５が固定された第１固定部材３および第２固定部材４にスティック２への取り付けについて説明する。前記第２固定部材４の貫通孔１０，１３に、図７に示すように、下側から前記スティック２を挿入し、上記スティック２の先端を、前記１固定部材３の固定具１８に設けられた孔に挿入し、前記固定具１８と勘合させて固定する。これにより、前記第１固定部材３はスティック２の先端で固定され、前記第２固定部材４は、貫通孔１０，１３によって、上下動あるいは回転可能な状態となる。
【００３３】
このようにして、第１固定部材３および第２固定部材４をスティック２に取り付けた後、スティック３の下端に安全キャップ１９を取り付けると、図１に示すような状態となり、本発明のスティック装飾具１が完成する。スティック装飾具１をさらに楽しいものとするために、例えば、図９に示すように、鈴２０を第１固定部材３に取り付けて使用時に音が出るようにして視覚だけでなく聴覚でも楽しめるようにできる。あるいは、図８に示すように、固定具１８の上部に様々なキャラクターのマスコット２１を上記固定具１８に設けた突起に取り付けたり、さらにＬＥＤを使用してスティック２の上下どちらかの端部から光を出すことも可能である。
【００３４】
次に、本発明のスティック装飾具１の使用方法について説明する。スティック２を手で回転させると、回転速度に応じて、帯１５が変形して、図１０（ａ）に示すような、球体の像が表れる。図１０（ａ）では楕円形の像が表れているが、回転速度をさらに上げると第２固定部材４がスティック２に沿って上方へと移動し、像は薄い円盤状に変化する。また、回転速度を下げると、今度は第２固定部材４が下方へと移動し、縦長の楕円へと変化する。
【００３５】
さらに、スティック２の回転を素早く、繰り返して逆回転させると、第１固定部材３はスティック２に固定されているのでスティック２と同じ方向に回転するが、第２固定部材４は固定されていないので、第１固定部材３と逆回転をしている状態が生じて、前記帯１５が途中で捻れて、図１０（ｂ）に示すような、ひょうたんあるいはだるまのような２つの楕円あるいは円を組み合わせた像が表れる。
【００３６】
その他にも、スティック２を上下動さる、あるいは、回転させながら上下動を行うといった、様々な方法を用いることで、くらげや、ワイングラス、ぼんぼり、チューリップといった様々な像を生じさせることが可能であり、工夫次第では、さらなる表現が可能である。また、オルゴールに取り付けてオルゴールのメロディーに合わせてゆっくりと回転する構造とすることも可能である。
【００３７】
本発明のスティック装飾具１は、様々な用途で用いることができる。装飾具としてディスプレイ等に様々形状に変化させた状態で用いることもできるし、玩具として、像が変化するのを楽しむこともできる。
【００３８】
本発明のスティック装飾具は、叙述のように、従来よりも簡単にそして正確に組み立てることができるので、従来よりも低コストで高品質の製品を提供することが可能となる。
【００３９】
次に、第２の実施形態のスティック装飾具１’について説明する。第２の実施形態のスティック装飾具１’は、第１の実施形態のスティック装飾具１のスティック２に、図１１に示すように、つば２２を設けたものである。その他の構造については第１の実施形態と同じであるので、詳細については省略する。
【００４０】
前記つば２２は、スティック２’の所定の位置に固定されており、本実施形態ではその形状を円盤状としている。前記つば２２は第２固定部材４の移動を制限するものであり、前記つば２２をスティック２’に設けると、前記第２固定部材４はつば２２よりも下方には移動できなくなる。つば２２の形状や大きさについては特に限定するものではなく、第２固定部材４の移動を制限できれば良い。また、固定方法についても、スティック２’とつば２２を一体形成することも可能であり、ねじによってつば２２を取り外し可能に固定することもできる。
【００４１】
つば２２を設けていない第１の実施形態のスティック装飾具１は、静止状態では、図１に示すように、帯状部材５が、帯状部材５の自重と第２固定部材４の重さによって伸びた状態となる。この時、帯状部材５の弾性力によってスティック装飾具１は縦長の球形状態を保っているが、この状態が長期間続くと帯状部材５の弾性力が弱まり、弾性部材５が固定部材３，４との固定場所で折れ曲がる可能性があり、また、使用時に綺麗な像を描くことができなくなる恐れがある。
【００４２】
しかしながら、第２の実施形態のスティック装飾具１’では、前記つば２２によって第２固定部材４の移動を制限することで、図１２に示すように、静止状態での第２固定部材４を、第１の実施形態のスティック装飾具１の固定部材４の位置よりも、高い位置で停止させることができる。これにより、静止状態では第２固定部材４の重さは帯状部材５に加えられなくなり、図１２に示すように、図１よりも円形に近い状態を保つことができる。よって、静止状態での帯状部材５への負担が無くなり、長期間使用しても帯状部材の変形を抑制することができるようになる。このような効果をもたらすためには、つば２２を固定する位置は、図１に示すようなつば２２が無い場合に、静止状態での第２固定部材４が停止する位置よりも高い位置とする必要がある。
【００４３】
さらに、使い勝手を向上させるために、図１３に示すように、スティック２’にジョイント２６を設けて、上段のスティック２３と下段のスティック２４に分割可能な構造とすることもできる。このようにスティック２’を分割可能とすると、帯状部材５が絡まったときでも、スティック２’を分割し、第２固定部材４をスティック２’から取り外して帯状部材５を元の状態に戻し、再び組み立てることで、簡単に帯状部材５の絡まりを解消できるようになる。
【００４４】
本実施形態では、下段のスティック２４につば２５を設け、つば２５の部分でジョイント２６を固定する構造としている。ジョイント２６にはねじを用い、つば２５にねじ穴を設けることで、簡単に取り外し可能なジョイントとすることもできる。ジョイントの形態については限定するものではなく、また、本実施形態のようなつばを設けないスティックでもジョイントを設けることができる。例えば、第１の実施形態のスティック２をジョイントで２分割可能な構造とすることも可能である。さらに分割数も２分割に限定するものではなく、３分割、４分割とすることも可能である。
【００４５】
このように、スティックにジョイントを設けることは、単に、使い勝手が向上するだけでなく、スティックを分割した状態で販売あるいは持ち運びができるようになり、販売する際の大きさを従来よりも小さくすることができるので、パッケージにかかるコストを削減することができ、また、持ち運びも容易になるという効果がある。
【００４６】
次に、第３の実施形態のスティック装飾具１’’について説明する。第３の実施形態のスティック装飾具１’’は、第１の実施形態のスティック装飾具１のスティック２の端部に、図１４に示すように、スタンド２７を設けたものである。その他の構造については第１の実施形態と同じであるので、詳細については省略する。
【００４７】
前記スタンド２７はスティック２の下端に固定されている。そして、前記スタンド２７は、裾広がりの形状であり前記スティック装飾具１’’を立てて置くことが可能な大きさとなっており、これにより、図１４に示すような状態で、使用しない時に装飾具として棚等に飾っておくことができる。スタンド２７の形状は特に限定するものではなく、その他にも立方体や円筒形等、様々な形状が可能であり、スティック装飾具１’’を立てることができるものであればよい。
【００４８】
また、スティック２に前記固定具１８を用いてスタンド２７を取り付けることも可能であり、その場合、図１４とは上下逆さまな状態で、前記スティック装飾具１’’を立てることができ、さらに、スティック２の両端にスタンド２７を設けることもできる。
【００４９】
次に、第４の実施形態のスティック装飾具１’’’について説明する。第４の実施形態のスティック装飾具１’’’は、第１の実施形態のスティック装飾具１の固定具１８に可動部材２８を上下動および回転可能に係合させたものである。その他の構造については第１の実施形態と同じであるので、詳細については省略する。
【００５０】
本実施形態のスティック装飾具１’’’は、図１５に示すように、スティック２と、前記スティック２に移動可能に取り付けられる円形の第１固定部材３と、前記スティック２に移動可能に取り付けられる円形の第２固定部材４と、一端が第１固定部材３に固定され、他端が第２固定部材４に固定された曲げ可能な複数の帯状部材５とからなり、固定具１８’を用いて前記第１固定部材３をスティック２に固定し、前記スティック２の先端に可動部材２８を取り付ける。
【００５１】
図１６に示すように、前記可動部材２８は、前記第１ベース部材６と前記第２ベース部材７をスティック２に固定するのに用いらている固定具１８’に、上下動および回転可能に係合されている。前記固定具１８’は、円筒形で前記スティック２の端部に固定される第１固定具２９と、前記第１固定部材３が固定される円筒形の第２固定具３０とから構成される。
【００５２】
前記第２固定具３０は、前記第ベース部材６と前記第２ベース部材７の貫通孔１０，１３に挿入して、前記第ベース部材６と前記第２ベース部材７を固定し、一部が前記第１固定具２９に挿入されて接着剤等を用いて前記第１固定具２９に固定される
【００５３】
前記可動部材２８は先端に球形のふくらみが設けられた棒状の芯部３１と、前記芯部３１の先端に固定される台部３２とから構成され、前記芯部３１が第１固定具２９および第２固定具３０に挿入されている。前記芯部３１は、前記第２固定具３０を前記第１固定具２９に固定する前に、前記第２固定具３０に挿入しておき、先端のふくらみが前記第１固定具２９内に位置するように、前記第２固定具３０を前記第１固定具２９に固定する。その後、前記芯部３１と前記台部３２を接着剤等で固定する。
【００５４】
これにより、前記可動部材２８は、前記芯部の先端に設けられた球形のふくらみがストッパーとなり、前記第２固定具３０から抜けないように前記固定具１８’に保持される。さらに、芯部３１の先端のふくらみは前記第１固定具２９内を上下動可能となっているので、前記可動部材２８は前記固定具１８’によって、上下動および回転可能に保持されており、図１６（ａ），（ｂ）に示すように、可動部材２８は上下に移動する。
【００５５】
このような可動部材２８は、スティック装飾具１’’’を回転させながら上下動させると、回転あるいは上下動する。これにより、前記台部３２に様々なキャラクターのマスコットを取り付けておくと、マスコットが動くことでさらなる視覚効果を高めることができる。また、下向きでスティック装飾具１’’’を回転および上下動させることで、可動部材２８にさらなる動きを与えることもできる。
【００５６】
さらに、第５の実施形態のスティック装飾具１’’’’について説明する。第５の実施形態のスティック装飾具１’’’’は、第１の実施形態の第１固定部材３を、第２固定部材４と同じくスティック２に移動可能に取り付けたものである。その他の構造については第１の実施形態と同じであるので、詳細については省略する。
【００５７】
本実施形態のスティック装飾具１’’’’は、スティック２と、前記スティック２に移動可能に取り付けられる円形の第１固定部材３と、前記スティック２に移動可能に取り付けられる円形の第２固定部材４と、一端が第１固定部材３に固定され、他端が第２固定部材４に固定された曲げ可能な複数の帯状部材５とからなる。
【００５８】
前記帯状部材５の固定方法については、第１の実施形態と同じであるが、帯状部材５が固定された第１固定部材３および第２固定部材４のスティック２への取り付け方法が異なる。
【００５９】
本実施形態では、第１固定部材３および第２固定部材４をスティック２に取り付ける際に、固定具１８を用いないで、前記第１固定部材３の貫通孔１０，１３および前記第２固定部材４の貫通孔１０，１３にスティック２を挿入し、前記スティック２の両端を安全キャップ１９等を用いて、第１固定部材３および第２固定部材４が前記スティック２から脱落しないようにする。これにより、第１固定部材３および第２固定部材４は、貫通孔１０，１３によって、前記スティック２に対して上下動あるいは回転可能に取り付けられる。
【００６０】
本実施形態のスティック装飾具１’’’’は、図１７に示すように、スティック２の両端を支持枠３３によって回転可能に保持することで、横方向にセットし、手で直接帯状部材５を回転させて楽しむこともできる。
【符号の説明】
【００６１】
１、１’、１’’、１’’’、１’’’’  スティック装飾具
２、２’  スティック
３      第１固定部材
４      第２固定部材
５      帯状部材
６      第１ベース部材
７      第２ベース部材
８      リブ
９      突起
１０    貫通孔
１１    孔
１２    凹部
１３    貫通孔
１４    スリット
１５    帯
１６    切込み
１７    孔
１８    固定具
１９    安全キャップ
２０    鈴
２１    マスコット
２２    つば
２３    上段のスティック
２４    下段のスティック
２５    つば
２６    ジョイント
２７    スタンド
２８    可動部材
２９    第１固定具
３０    第２固定具
３１    芯部
３２    台部
３３    支持枠
【図１】
2010214089.tif 000003
【図２】
2010214089.tif 000004
【図３】
2010214089.tif 000005
【図４】
2010214089.tif 000006
【図５】
2010214089.tif 000007
【図６】
2010214089.tif 000008
【図７】
2010214089.tif 000009
【図８】
2010214089.tif 000010
【図９】
2010214089.tif 000011
【図１０】
2010214089.tif 000012
【図１１】
2010214089.tif 000013
【図１２】
2010214089.tif 000014
【図１３】
2010214089.tif 000015
【図１４】
2010214089.tif 000016
【図１５】
2010214089.tif 000017
【図１６】
2010214089.tif 000018
【図１７】
2010214089.tif 000019